(57)【要約】【課題】  岩盤浴を家庭において実施可能として、岩盤石の波動効果及びトルマリンによる遠赤外線、マイナスイオン放射効果等を有効に利用でき、管理が容易で、岩盤浴効果をより効果的に発揮できる岩盤浴装置を提供可能とする【解決手段】  波動効果を有する岩盤石（皇龍翠光石）１００よりなり人体が横臥可能な面積を有する寝台部１０と、これを下部より加熱するヒーター１５と、寝台部１０の表面部を除く総ての外周部に充填されている遠赤外線、マイナスイオンを発生する効果を有する玉砂利(トルマリン混合)１８とよりなる本体部１と、必要に応じ本体部１に被覆される遠赤外線、マイナスイオン放射手段を有するフード部と、本体部１を電気的、熱的に絶縁、支持し、本体部１及びフード部へ電力を供給し制御する電源部の設けられている支持台部３とを有している。【選択図】  図３
0003124350.tif 000002
【実用新案登録請求の範囲】
【請求項１】
寝台部が設けられている本体部と、該本体部に被覆可能に設けられているドーム部とを有する岩盤浴装置において、前記本体部が波動効果を有する岩盤石よりなる前記寝台部と、前記岩盤石を下部より加熱するヒーターと、前記寝台部の表面部を除く総ての外周部に充填されている遠赤外線、マイナスイオン放射効果を有する玉砂利とを主体として構成されており、前記ドーム部には遠赤外線、マイナスイオン放射効果を有する物質が取り付けられており、前記本体部を電気的、熱的に絶縁、支持し前記ヒーター及び前記ドーム部に電力を供給制御する電源部の設けられている支持部が設けられていることを特徴とする岩盤浴装置。
【請求項２】
平板状の前記岩盤石よりなる前記寝台部が、内底面部に熱反射板の設けられている木製の容器内に設けられている係止具により係止されている金属製の容器に保持された状態で前記木製の容器の開口面に位置決め配置されており、該金属製の容器の下部に前記係止具により前記ヒーターが配設され、前記寝台部の温度を測定制御するための高温度用及び低温度用の温度計が設けられている請求項１記載の岩盤浴装置。
【請求項３】
前記岩盤石が皇龍翠光石で、前記玉砂利がトルマリン粒子の混在する玉砂利である請求項１又は２記載の岩盤浴装置。
【請求項４】
前記岩盤石は長手方向に配列する３分割された分割片よりなる請求項１又は２又は３記載の岩盤浴装置。
【考案の詳細な説明】
【技術分野】
【０００１】
本考案は、岩盤浴装置に関するものである。
【背景技術】
【０００２】
天然の温泉、鉱泉に入浴し、或いは飲用し、温熱、化学成分、浮力、水圧などによる効果により、リハビリテーション、慢性疾患などの療法を行う温泉療法は、良く知られるところで、湯治として古くから親しまれてきたが、,最近は、例えば、玉川温泉におけるように、温泉地の岩盤上に横臥することにより、温泉に入浴するのと同様に、疲労回復、ストレス解消、肥満の減量等の治療やその他の病気の予防効果が得られ、老化予防（アンチエィジング）、免疫力強化等に大きな効果があるとされている。
しかし、温泉、或いは、岩盤浴による効果を得るためには、温泉地に出かけなければならないが、最近は、家庭において、温泉地で得られる効果を得ることを可能とする種種の試みが提案されている。
例えば、特許文献１においては、玉川温泉で得られる湯の花を化学的に精製して、からだに有害な成分を除去精製した湯の花セラミックスをベッドに配置することにより、家庭において手軽に使用出来る岩盤浴装置が提案されている。
また、特許文献２においては、トルマリン鉱石が遠赤外線及びマイナスイオンを放射する点を利用し、これをモルタル等で固めて平坦な岩盤状に構成し岩盤浴用ベッドとしたものが提案されている。
なお、非特許文献１には、物質はすべてそれから波動が発生しているものとして捉え、波動を発生するものと人体との間の共鳴効果を捉えて、これを測定する装置が開発され、これらの装置の測定値を人体の管理に利用したり、さらに、加療に応用する機器の存在が知られている。
この波動という考えは、全ての物質は微弱な波動エネルギーを有している、すなはち、最小の原子では、原子核(陽子と中性子による)のまわりを電子が回っていると考えられており、この原子核と電子は微小レベルにおいて振動しているので、この振動が波動と呼ばれている。これら微小レベルで次々に起こる振動は分子レベルで統合され、新しい波が生まれる。この波が統合されその物質固有の 波動が生まれると考えられており、従って、本来、各々の人が夫々の状態に応じた波動値をもっているとの考えに基づくものである。
【０００３】
【特許文献１】特開２００５−２４５６３１
【特許文献２】特開２００４−１３００４７
【非特許文献１】深野一幸著  波動の最前線  廣済堂出版
【考案の開示】
【考案が解決しようとする課題】
【０００４】
以上の如く、従来の技術においても、特許文献１、或いは特許文献２に見られるように、温泉地における効果を、例えば、家庭において享受可能とするためのベッド化の試みはなされているが、製作に精製工程が必要であったり、選択された効果のみを利用したものであったりして、種々の効果を総合的に発揮するものは認められなかった。
以上の実情に鑑み、本考案の岩盤浴装置は、岩盤浴を家庭において実施可能として、岩盤石の波動効果及びトルマリンによる遠赤外線、マイナスイオン効果等を有効に利用でき、管理が容易で、岩盤浴効果をより効果的に発揮できる岩盤浴装置を提供可能とすることを目的とするものである。
【課題を解決するための手段】
【０００５】
以上の目的を達成するためになされた本考案の構成は、次の如くである。
（１）  寝台部が設けられている本体部と、該本体部に被覆可能に設けられているドーム部とを有する岩盤浴装置において、前記本体部が波動効果を有する岩盤石よりなる前記寝台部と、前記岩盤石を下部より加熱するヒーターと、前記寝台部の表面部を除く総ての外周部に充填されている遠赤外線、マイナスイオン放射効果を有する玉砂利とを主体として構成されており、前記ドーム部には遠赤外線、マイナスイオン放射効果を有する物質が取り付けられており、前記本体部を電気的、熱的に絶縁、支持し前記ヒーター及び前記ドーム部に電力を供給制御する電源部の設けられている支持部が設けられていることを特徴とする。
（２）  （１）において、平板状の前記岩盤石よりなる前記寝台部が、内底面部に熱反射板の設けられている木製の容器内に設けられている係止具により係止されている金属製の容器に保持された状態で前記木製の容器の開口面に位置決め配置されており、該金属製の容器の下部に前記係止具により前記ヒーターが配設され、前記寝台部の温度を測定制御するための高温度用及び低温度用の温度計が設けられていることを特徴とする。
（３）  （１）又は（２）において、前記岩盤石が皇龍翠光石で、前記玉砂利がトルマリン粒子の混在する玉砂利であることを特徴とする。
（４）  （１）又は（２）又は（３）において、前記岩盤石は長手方向に配列する３分割された分割片よりなることを特徴とする。
【考案の効果】
【０００６】
本考案は、寝台部を構成する岩盤石、及び、これに組み合わせる遠赤外線及びマイナスイオンを放射する物質の選択及び配置、組み合わせを選ぶことにより岩盤浴効果をより効果的に発揮することを可能としたものである。
すなはち、岩盤浴装置は、使用する岩盤に何を使用するかが重要であるが、本考案の岩盤浴装置は、寝台部を構成する岩盤石として天然の岩盤状態のものを使用しており、特に、高エネルギーの波動効果を有する、例えば、皇龍翠光石の岩盤石を用いるようにしたことにより、体を芯（内臓）から暖めることができ、ストレスや老廃物及び重金属や毒素を対外に排出することができ、さらに、遠赤外線、マイナスイオンを放射するトルマリンとの相乗効果により、活性酸素（身体のサビ）を除去し、新陳代謝を活発にし、また肌をなめらかにすることができる。すなはち、総ての人間が発生する波動エネルギーを高水準な状態に改善し、細胞を活性化させることを可能とする効果を得ることができる。
【考案を実施するための最良の形態】
【０００７】
考案を実施するための最良の形態を実施例を用いて説明する。
【実施例１】
【０００８】
図１〜５は、本考案の岩盤浴装置の一実施例の説明図で、図１は全体を模式的に示す説明図、図２は図１の要部の一部透視平面図（頭部側省略）、図３は同じく要部の一部縦断面図（足部側省略）、図４は同じく図２のＸ−Ｘ断面図、図５は他の要部の一部断面図である。
これらの図において、１は岩盤石１００よりなる寝台部１０を有する本体部、２は本体部１を被覆自在に設けられているドーム部、３は本体部１を電気的、熱的に絶縁支持する支持台を構成する支持台部、４は本体部１及びドーム部２への電力の供給及び制御を行う電力装置を有する電源部を示している。
【０００９】
本体部１において、岩盤石１００よりなる寝台部１０は、内底面部に熱反射板１２の設けられている木製（例えば、ひのき材）の容器１３内に、例えば、ステンレスチール製の金属ケース１１に保持されている平板状の岩盤石１００を係止具１４により容器１３の開口面の略中央部に保持して構成されている。
岩盤石１００の収めてある金属ケース１１の下部には、８本の岩盤石１００加熱用のヒーター１５が寝台部１０を構成する岩盤石１００の長手方向に平行に、係止具１４に保持され設置されている。ヒーター１５には、管体がステンレスチール製の床暖房用の電熱ヒーターを用いている。容器１３内の金属ケース１１の表面を除いた部分には、玉砂利１８が充填されている。人が寝台部１０を構成する岩盤石１００上に横たわるとき頭部が位置する玉砂利１８上には枕１９が設けられている。金属ケース１１の長手方向の中間部には低温度用及び高温度用の温度測定器１６及び１７が設置されており、その測定温度により電減部４により寝台部１０の温度制御が行われるようになっている。
【００１０】
フード部２は、高さ約６００ミリメーターの上部円形ドームよりなり、その内面中央部にはセラミックフィルムヒーター（３００ｘ３００ミリ）２２が３枚アルミパンチングメタル２３によって取り付けられており、フード２１と本体部１の下部方向（寝台部１０上に人が横たわるとき足の方向）に蝶番手段２４により寝台部１０に対する傾斜角度を高圧ガス注入式アーム２５で偏向できるようになっていて、寝台部１０上の人体に対する遠赤外線及びマイナスイオンの照射状態,を可変とすることが出来るようになっていて、必要に応じ本体部１の上部に被覆して遠赤外線及びマイナスイオン照射による人体の加温ができるように取り付けられている。フード部２にも本体部１と同様に、低温度用及び高温度用の温度測定器が取り付けられており、本体部１と同様に電源部４の電源装置４１によって制御されるようになっている。なお、セラミックによるチャコールトンパワーをドームに設ければ、温熱、遠赤外線効果と消臭効果を高めることができる。
すなはち、フード部２は、保温保湿性能アップのためドーム型になっており、寝台部１０を構成する岩盤石１００上の上部よりセラミックスフィルムヒーター２２より発生する温熱と遠赤外線効果、マイナスイオンの照射により,利用者の岩盤石１００よりなる寝台部１０による治療効果をさらに効果的ならしめ、岩盤浴効果を助長することができる。
【００１１】
支持台部３は、本体部１を電気的、熱的に支持するために、例えば、フレキシブルボード、ラワンベニア等よりなる上部支持台部構成部材３１と、例えば、ラワンベニアよりなる下部支持台部構成部材３４との間に、絶縁体層３１、或いは空気層３２が設けられており、本体部１のヒーター１５或いはフード部２のセラミックフィルムヒーター２２に電力を供給し、且つ、本体部１及びフード部２の温度を制御する電源部４が設けてある。この電源部４により、寝台部１０を構成する岩盤石１００への電力供給及び温度制御、あるいは、フード部２のセラミツクスヒーター２２への電力供給及び温度制御が行われる。支持台部３は、絶縁体層３２及び空気層３３を介して地上に置かれるようになっているので、本体部１の寝台部１０を構成する岩盤石１００の加熱の安定化を図り省力化を可能にすることが出来る
因みに、電源部４を構成する電源には、電源２００Ｖ（単相）１３５０Ｗ（寝台部９００Ｗ，ドーム部４５０Ｗ）が用いられている。
なお、電源部４の電源装置４１、温度制御装置の操作パネル４２には、例えば、電源表示灯、主電源スイツチ、運転ボタン、停止ボタン、岩盤温度調節計、フード温度調節計、岩盤過昇温防止器、フード過昇温防止器、警報ブザー等が設けられており、過昇温防止器には、設定値と現在値を表示するようになっており、温度の過度な上昇を検知し警報を出すようになっている。
寝台部１０を構成する岩盤石１００の下には、図２に示す如く、温度検知センサーとして、低温度用の温度測定器１６と高温度用の温度測定器１７が埋め込まれていてその温度が現在値としてモニターされ、寝台部１０の下部に埋め込まれているヒーター１５を制御する岩盤温度調節器はアップダウンキーにより設定可能に構成されている。また、寝台部１０を構成する岩盤石１００の現在値が設定値以上になると警報をだすように構成されている。
また、安全のために、岩盤温度調節器も過昇温肪止器と同様に温度異常を監視するようになっており、設定値と現在値の温度差を監視し、現在値が警報値の温度差を超えると（例えば、設定値50℃の場合90℃以上で警報発令）警報(ブサー鳴動、警報ランプ点灯、温度調節器のアラーム出力ランプ点灯を行うようになっている。警報値は表示され、設定値の確認、変更を行うことができるようになっている。フード温度の調節にも同様の構成が用いられている。
【００１２】
この実施例の岩盤浴装置においては、寝台部１０を構成する岩盤石１００には、皇龍翠光石（ドラゴンブルーストーン）（中国産、花崗岩の一種）よりなり、うつ伏せ、仰向けにになって寝るため、幅５００、長さ４００、厚み３０ミリの板状の石を３枚長手方向に配列して構成されているので、寝やすく体全体が温まり易くなっている。
皇龍翠光石は高い波動値を有しており、高いパワーによる温熱、波動効果が得られる。皇龍翠光石の波動値は、岩盤浴装置として用いられる北投石系及びその他の岩石との波動値の比較試験を行った結果、比較に用いた岩石に対して１．５から２．１倍の高い値が得られている。この測定値は、人体各部の器官についての健康状態及び疾病状態において測定した値を平均したものである。
この岩盤浴において、人間の持つ波動と岩盤石１００の波動とが共鳴して,人間の波動値が上昇するが、例えば、人間の場合、健康体ほど波動の数値が高く、病気にかかると波動の数値は下がるとされているが、岩盤浴を行うことにより、人間の波動の数値を上昇させることができる。すなはち、本来各々の人が持っている波動値が波動石の数値と共鳴して、相乗効果を上げ、その結果、波動効果増進に効果を発揮する。
すなはち、岩盤浴装置により、総ての人間が発生する波動エネルギーを高水準な状態に改善し、新陳代謝を活発にし、細胞を活性化させる岩盤浴をすることにより、高波動値の効果がえられる。
そして、波動の調整あるいは、チューニングすることにより、生命活動を健全にし、結果として、生命体、たとえば、人体の健康を回復、あるいは、改善することができ、精神的効果をおよぼすこともできる。
【００１３】
また、岩盤石１００の周囲に配置される玉砂利１８は那智石６０ｋｇにトルマリン１５ｋｇ（ブラジル産）を混合して構成されている。トルマリンは遠赤外線やマイナスイオンの発生することにより人間の身体のサビといわれている活性酸素を除去することができる。この結果、細胞を活性化させ、病気やの原因となる酸性化した身体をアルカリ体質に改善し老化予防（アンチエィジング）、免疫力強化等に大きな効果をもたらし、他に、脱臭、消臭効果、抗菌作用も得ることができる。
トルマリンパワーによる遠赤外線効果とマイナスイオン効果が同時に得られ、さらに、ドームによる消臭効果によって快適な状態で岩盤浴を実施することが可能である。
以上の如く、実施例の岩盤浴装置においては、皇龍翠光石による波動効果により体を芯（内臓）から暖めることにより、ストレスや老廃物及び重金属や毒素を対外に排出することができ、トルマリンより発生する遠赤外線、マイナスイオンによる相乗効果により、活性酸素（身体のサビ）を除去細胞の新陳代謝を活性化し、発汗作用により老廃物や不要な蓄積物を排出し、また、肌をなめらかにすることができ、健康増進に効果がある。老化予防（アンチエイジング）、免疫力等に大きな効果が得られる。
【００１４】
以上の如く、本実施例の岩盤浴装置は、岩盤石１００として高い岩盤浴効果の得られる皇龍翠光石を用いているので、岩盤石１００から放出される波動エネルギによる共鳴効果により人体の波動値を上げることが可能になるので、細胞活性化をはかることができ、その波動効果とトルマリンによる効果により、高い岩盤浴効果を得ることができるので、例えば、玉川温泉まで出かけなくても、家庭において、好きなときに岩盤浴を実施できるので、肉体的にも、精神的にも、落ち着いた状態（リラクジェーション）で岩盤浴を実施可能で、免疫力向上、疲労回復、体脂肪減少（ダイエット）、デトックス効果、美肌効果等を得ることができる。
【００１５】
以下、実施例の装置を用いた効果的な入浴方法について説明する。
ドーム部も用いて入浴する場合を述べると、通常、岩盤石１００の温度が約５０℃前後，ドーム２１内温度３０℃，ドーム内湿度約７０パーセント程度で入浴するが、この状態には２時間程度で所定の温度に達するので、入浴を開始し、この状態でうつ伏せ、仰向けを交互に数分ずつ繰り返し、３０分から４０分位入浴する。
この装置は、電熱ヒーターによる加熱を用いていて、温度を高くすることができるので、発汗作用も得ることが可能である。
なお、寝台部１０を構成する岩盤石１００の表面は、入浴するとき、人体が接触した状態で遠,赤外線の照射により発汗するので,人体からの汗、油が付着して汚染するので、入浴準備中に、岩盤石１００の表面を清掃する必要があるが、この装置では、寝台部に岩盤状態のものを用いているので、その清浄化は極めて容易であり、常に岩盤石１００の表面は清浄に保つことが可能であり、常に清浄な表面による波動効果を正常な状態に維持することが可能である。
【産業上の利用可能性】
【００１６】
本考案の岩盤浴装置は、遠隔地に出かける必要なく、必要なときに、随時、岩盤浴を実施することを可能とする岩盤浴装置を提供可能であり、産業上の効果の大なるものである。
【図面の簡単な説明】
【００１７】
【図１】本考案の岩盤浴装置の一実施例の説明図である。
【図２】図１の要部の一部透視平面図である。
【図３】同じく要部の一部縦断面図である。
【図４】同じく図２のＸ−Ｘ横断面図である。
【図５】同じく他の要部の一部横断面図である。
【符号の説明】
【００１８】
１    本体部
１０  寝台部
１００  岩盤石
１１  金属ケース
１２  熱反射板
１３  容器
１４  係止具
１５  ヒーター
１６  低温度用の温度測定器
１７  高温度用の温度測定器
１８  玉砂利
１９  枕
２    ドーム部
２１  ドーム
２２  セラミックフィルムヒーター
２３  パンチングメタル
２４  蝶番
２５  高圧ガス注入式アーム
３    支持台部
３１  上部支持台部構成部材
３２  絶縁体層
３３  空気層
３４  下部支持台部構成部材
３５  支持脚
４    電源部
４１  電源装置
４２  操作パネル
【図１】
0003124350.tif 000003
【図２】
0003124350.tif 000004
【図３】
0003124350.tif 000005
【図４】
0003124350.tif 000006
【図５】
0003124350.tif 000007